(57)【要約】【課題】デジタルテレビ放送信号受信装置において、ＤＶＢ−Ｔ規格に準拠した地上デジタルテレビ放送信号の放送チャンネル選局を可能とし、且つ、複数国からの該放送信号を受信可能な地域において、ユーザが視聴を望まない国の放送チャンネルを選局できないようにして視聴時の煩わしさの解消を図る。【解決手段】チューナ１１及びＴＳデマルチプレクサ１２により、ＤＶＢ−Ｔ規格に準拠した地上デジタルテレビ放送信号の物理チャンネルが探し出され、それに論理チャンネルすなわち放送チャンネルとして重畳されているＴＳが取得されるので、放送チャンネル選局が可能となる。また、制御部１３は放送信号から取得した国識別情報ごとに国別チャンネルリストを作成するので、これを選択することで、複数国からの放送信号を受信可能な地域においても、ユーザが視聴を望む国の放送チャンネルだけが、上記選択された国別チャンネルリストを基に選局可能となる。【選択図】図１
2009152775.tif 000002
【特許請求の範囲】
【請求項１】
ＤＶＢ−Ｔ（Digital Video Broadcasting - Terrestrial）規格に準拠した地上デジタルテレビ放送信号（以下、放送信号という）を受信して該放送信号の物理チャンネルを探し出すチャンネルサーチ手段と、
前記チャンネルサーチ手段により探し出された物理チャンネルの放送信号に論理チャンネルとして重畳されているトランスポートストリームを取得するストリーム取得手段を備えたデジタルテレビ放送信号受信装置において、
前記チャンネルサーチ手段により探し出された物理チャンネルの放送信号から、物理チャンネル毎に割り当てられ該放送信号の送信国を示す国識別情報を取得する情報取得手段と、
前記情報取得手段により取得された国識別情報と、前記チャンネルサーチ手段により探し出された物理チャンネルを示す物理チャンネル情報と、前記ストリーム取得手段により取得されたトランスポートストリームに対応する論理チャンネルを示す論理チャンネル情報を関連付けて記憶する記憶手段と、
前記国識別情報ごとに、前記物理チャンネル情報と論理チャンネル情報を対応付けた国別チャンネルリストを前記記憶手段を参照して作成し、それを該記憶手段に格納するリスト作成手段をさらに備えることを特徴とするデジタルテレビ放送信号受信装置。
【請求項２】
ＤＶＢ−Ｔ（Digital Video Broadcasting - Terrestrial）規格に準拠した地上デジタルテレビ放送信号（以下、放送信号という）を受信して該放送信号の物理チャンネルを探し出すチャンネルサーチ手段と、
前記チャンネルサーチ手段により探し出された物理チャンネルの放送信号に論理チャンネルとして重畳されているトランスポートストリームを取得するストリーム取得手段を備えたデジタルテレビ放送信号受信装置において、
前記チャンネルサーチ手段により探し出された物理チャンネルの放送信号から、物理チャンネル毎に割り当てられ該放送信号の送信国を示す国識別情報を取得する情報取得手段と、
前記情報取得手段により取得された国識別情報と、前記チャンネルサーチ手段により探し出された物理チャンネルを示す物理チャンネル情報と、前記ストリーム取得手段により取得されたトランスポートストリームに対応する論理チャンネルを示す論理チャンネル情報を関連付けて記憶する記憶手段と、
ユーザがデジタルテレビ放送の視聴を望む国を設定するための設定手段と、
前記論理チャンネルを昇順又は降順に選局するためのチャンネルアップ／ダウンキーと、
前記チャンネルアップ／ダウンキーの操作に基づき、前記記憶部を参照して論理チャンネルを選局する選局手段をさらに備え、
前記記憶手段は、前記設定手段により設定される国と国識別情報を対応付ける国識別情報リストを予め記憶しており、
前記選局手段は、前記設定手段により設定された国の国識別情報を前記国識別情報リストを参照して取得し、その取得した国識別情報と、次に選局する予定の論理チャンネルの国識別情報が一致する場合には、該論理チャンネルを選局し、それらが一致しない場合には、該論理チャンネルをスキップすることを特徴とするデジタルテレビ放送信号受信装置。
【請求項３】
前記国識別情報は、放送信号のトランスポートストリームパケットに含まれるＮＩＴ（Network Information Table）中のオリジナルネットワークＩＤとしたことを特徴とする請求項１又は請求項２に記載のデジタルテレビ放送信号受信装置。
【発明の詳細な説明】
【技術分野】
【０００１】
本発明は、ＤＶＢ−Ｔ（Digital Video Broadcasting - Terrestrial）規格に準拠した地上デジタルテレビ放送信号を受信するデジタルテレビ放送信号受信装置に関する。
【背景技術】
【０００２】
近年、世界各国で、地上テレビ放送信号のデジタル化が進められており、例えば欧州においても地上デジタルテレビ放送が実施されている。欧州各国では、地上デジタルテレビ放送の規格としてＤＶＢ−Ｔ（Digital Video Broadcasting - Terrestrial）規格が採用されており、国ごとに、地上デジタルテレビ放送信号（以下、放送信号という）における複数の物理チャンネルすなわちキャリア搬送波の周波数が割り当てられている。そして、各キャリア搬送波には、複数の論理チャンネルが、複数のストリームから成るトランスポートストリーム形式でもって重畳されている。論理チャンネルは、ユーザによりテレビ視聴時に選局される放送チャンネルであり、１物理チャンネルは複数の放送局に割り当てられている。
【０００３】
上記の放送信号を受信可能なデジタルテレビ放送信号受信装置（以下、受信装置という）が国境近くに設置された場合、その受信装置は隣接国の放送信号を受信することがある。欧州のように隣接国が同一の規格を採用している場合、受信装置に接続されたモニタ装置には、複数国のデジタルテレビ放送の映像信号が出力される。従って、放送チャンネル選局時に、ユーザが視聴を望まない国の放送チャンネルまでも選局されて、その放送チャンネルの映像がモニタ装置から出力されることがあり、ユーザによってはそれが煩わしいこともある。
【０００４】
ところで、特許文献１では、チャンネル選局のためのリモコンを備え、複数の放送エリアのチャンネルが交錯する地域に装置が移動したとき、１つのリモコン番号キーに対して複数のチャンネルを割り当て、そのキーでもってトグル選局することによりチャンネル選局を可能とした放送受信装置が開示されている。
【０００５】
しかしながら、この放送受信装置は、もともと移動型の装置を想定しており、ユーザが装置を任意の場所に設置し、１つの放送エリアのチャンネルのみの視聴を望む場合には、上記のキーが複数回操作されると、視聴を望まない放送エリアのチャンネルまでも選局されてしまう。
【０００６】
また、特許文献２では、チャンネルがリスト化された地域別のチャンネルグループを予め記憶しておき、トランスポートストリームに含まれる地域識別情報を検出し、その検出結果に基づいてチャンネルグループを選択し、それをチャンネルリストとして用いるデジタル放送受信装置が開示されている。
【０００７】
また、特許文献３では、ユーザが選局可能な物理チャンネルのみを一覧としたチャンネルリストをまず作成し、その後、ユーザ所望の物理チャンネルが選局されたときに、放送信号中のＰＳＩ／ＳＩ（Program Specific Information / Service Information）に含まれるその物理チャンネルの固有情報をチャンネルリストに登録するデジタル放送受信装置が開示されている。
【０００８】
上述の特許文献２及び特許文献３に開示された装置では、チューナにより選局された物理チャンネルの放送信号が復調部によりトランスポートストリームに復調される。そして、トランスポートストリームに多重化された映像及び音声等が多重分離部により分離され、それらは復号される。すなわち、上記装置は、１物理チャンネルに対して１放送局が割り当てられた放送信号にのみ対応している。そのため、ＤＶＢ−Ｔ規格に準拠した放送信号のチャンネルを選局する、すなわち放送局を選局することはできない。
【０００９】
また、特許文献４では、地域ごとに受信可能な番組を地域別受信情報としてメモリに登録し、受信地域をキーボードから指定するだけで、当該受信地域で受信可能な番組を自動選局するようにした放送受信装置が開示されている。しかしながら、地上デジタルテレビ放送信号を受信可能な構成が開示されていない。
【００１０】
また、特許文献５では、デジタル放送を受信可能に構成され、チャンネルリスト上で有局とされたチャンネルを指定して電波受信を実行し、受信感度を判定し、装置起動時に最も受信感度が良好であるチャンネルを選択して放送受信を実行する放送受信装置が開示されている。そのため、チャンネル選局はそのチャンネルがユーザ所望かどうかに関係がない。
【００１１】
従って、特許文献１〜５に記載の技術では、ＤＶＢ−Ｔ規格に準拠した地上デジタルテレビ放送信号の放送チャンネルのユーザによる選局を可能とし、且つ、複数国からの該放送信号が可能な地域において、放送チャンネル選局時に、ユーザが視聴を望まない国の放送チャンネルまでも選局される問題を解消することは難しい。そのため、視聴時の煩わしさを解消することは困難である。
【特許文献１】特開２００６−２７９６６３号公報
【特許文献２】特開２００６−０１３７６５号公報
【特許文献３】特開２００６−１５７８１８号公報
【特許文献４】特開平５−０９０９０９号公報
【特許文献５】特開２００７−２２８３０７号公報
【発明の開示】
【発明が解決しようとする課題】
【００１２】
本発明は、上記の従来の問題を解決するためになされたものであり、ＤＶＢ−Ｔ規格に準拠した地上デジタルテレビ放送信号の放送チャンネル選局を可能とし、且つ、複数国からの該放送信号を受信可能な地域において、ユーザが視聴を望む国の放送チャンネルだけを選局可能とすることで、視聴を望まない国の放送チャンネルを選局することができないようにして視聴時の煩わしさを解消することができるデジタルテレビ放送信号受信装置を提供することを目的とする。
【課題を解決するための手段】
【００１３】
上記目的を達成するために請求項１の発明は、ＤＶＢ−Ｔ（Digital Video Broadcasting - Terrestrial）規格に準拠した地上デジタルテレビ放送信号（以下、放送信号という）を受信して該放送信号の物理チャンネルを探し出すチャンネルサーチ手段と、前記チャンネルサーチ手段により探し出された物理チャンネルの放送信号に論理チャンネルとして重畳されているトランスポートストリームを取得するストリーム取得手段を備えたデジタルテレビ放送信号受信装置において、前記チャンネルサーチ手段により探し出された物理チャンネルの放送信号から、物理チャンネル毎に割り当てられ該放送信号の送信国を示す国識別情報を取得する情報取得手段と、前記情報取得手段により取得された国識別情報と、前記チャンネルサーチ手段により探し出された物理チャンネルを示す物理チャンネル情報と、前記ストリーム取得手段により取得されたトランスポートストリームに対応する論理チャンネルを示す論理チャンネル情報を関連付けて記憶する記憶手段と、前記国識別情報ごとに、前記物理チャンネル情報と論理チャンネル情報を対応付けた国別チャンネルリストを前記記憶手段を参照して作成し、それを該記憶手段に格納するリスト作成手段をさらに備えるものである。
【００１４】
請求項２の発明は、ＤＶＢ−Ｔ（Digital Video Broadcasting - Terrestrial）規格に準拠した地上デジタルテレビ放送信号（以下、放送信号という）を受信して該放送信号の物理チャンネルを探し出すチャンネルサーチ手段と、前記チャンネルサーチ手段により探し出された物理チャンネルの放送信号に論理チャンネルとして重畳されているトランスポートストリームを取得するストリーム取得手段を備えたデジタルテレビ放送信号受信装置において、前記チャンネルサーチ手段により探し出された物理チャンネルの放送信号から、物理チャンネル毎に割り当てられ該放送信号の送信国を示す国識別情報を取得する情報取得手段と、前記情報取得手段により取得された国識別情報と、前記チャンネルサーチ手段により探し出された物理チャンネルを示す物理チャンネル情報と、前記ストリーム取得手段により取得されたトランスポートストリームに対応する論理チャンネルを示す論理チャンネル情報を関連付けて記憶する記憶手段と、ユーザがデジタルテレビ放送の視聴を望む国を設定するための設定手段と、前記論理チャンネルを昇順又は降順に選局するためのチャンネルアップ／ダウンキーと、前記チャンネルアップ／ダウンキーの操作に基づき、前記記憶部を参照して論理チャンネルを選局する選局手段をさらに備え、前記記憶手段は、前記設定手段により設定される国と国識別情報を対応付ける国識別情報リストを予め記憶しており、前記選局手段は、前記設定手段により設定された国の国識別情報を前記国識別情報リストを参照して取得し、その取得した国識別情報と、次に選局する予定の論理チャンネルの国識別情報が一致する場合には、該論理チャンネルを選局し、それらが一致しない場合には、該論理チャンネルをスキップするものである。
【００１５】
請求項３の発明は、請求項１又は請求項２に記載のデジタルテレビ放送信号受信装置において、前記国識別情報は、放送信号のトランスポートストリームパケットに含まれるＮＩＴ（Network Information Table）中のオリジナルネットワークＩＤとしたものである。
【発明の効果】
【００１６】
請求項１の発明によれば、チャンネルサーチ手段により、ＤＶＢ−Ｔ規格に準拠した地上デジタルテレビ放送信号（以下、放送信号という）が受信されてその物理チャンネルが探し出され、ストリーム取得手段により、上記の探し出された物理チャンネルの放送信号に論理チャンネルとして重畳されているトランスポートストリームが取得され、上記の規格において論理チャンネルは放送局の放送チャンネルに対応しているので、上記の規格に準拠した放送信号の放送チャンネル選局が可能となる。
【００１７】
また、情報取得手段により、放送信号から国識別信号が取得され、リスト作成手段により、国識別情報ごとに物理チャンネル情報と論理チャンネル情報すなわち放送チャンネル情報を対応付けた国別チャンネルリストが作成されるので、この国別チャンネルリストを選択することで、複数国からの該放送信号を受信可能な地域においても、ユーザが視聴を望む国の放送チャンネルだけが、上記選択された国別チャンネルリストを基に選局可能となる。そのため、視聴を望まない国の放送チャンネルを選局することができなくなり、視聴時の煩わしさを解消することができる。
【００１８】
請求項２の発明によれば、請求項１の発明と同じように、ＤＶＢ−Ｔ規格に準拠した放送信号の放送チャンネル選局を可能とする効果を得ることができ、さらに、チャンネルアップ／ダウンキーの操作に基づく論理チャンネル選局時に、設定手段により設定された国の論理チャンネルは選局され、その国以外の国の論理チャンネルはスキップされるので、複数国からの該放送信号を受信可能な地域においても、ユーザが視聴を望む国のチャンネルだけを選局することができる。そのため、視聴を望まない国の放送チャンネルを選局することができなくなり、視聴時の煩わしさを解消することができる。
【００１９】
請求項３の発明によれば、請求項１又は請求項２の発明による効果と同等の効果を奏することができる。
【発明を実施するための最良の形態】
【００２０】
以下、本発明の各種実施形態に係るデジタルテレビ放送信号受信装置（以下、受信装置という）について図面を参照して説明する。
（第１の実施形態）
図１は、本発明の第１の実施形態に係る受信装置の構成を示す。本実施形態の受信装置１は、欧州等で採用されているＤＶＢ−Ｔ（Digital Video Broadcasting - Terrestrial）規格、特にＤＶＢ−ＳＩ（Digital Video Broadcasting -Service Information）規格に準拠した地上デジタルテレビ放送信号を（以下、放送信号という）受信可能に構成されている。上記の規格においては、国ごとに、放送信号における複数の物理チャンネルすなわちキャリア搬送波の周波数が割り当てられており、各キャリア搬送波には、複数の論理チャンネルの各々に対応する複数のストリームから成るトランスポートストリーム（Transport Stream；以下、ＴＳという）が重畳されている。論理チャンネルは、ユーザによりテレビ視聴時に選択される放送チャンネルに対応している。
【００２１】
受信装置１は、放送局から送出された放送信号をアンテナ２を用いて受信して放送信号の物理チャンネルを探し出すチューナ１１（チャンネルサーチ手段）と、チューナ１１により探し出された物理チャンネルの放送信号に論理チャンネルとして重畳されているＴＳを取得するＴＳデマルチプレクサ１２（ストリーム取得手段）を備える。
【００２２】
また、受信装置１は、チューナ１１に対して、受信可能な周波数帯域に亘るチャンネルサーチを指示する制御部１３と、各種情報が格納される記憶部１４（記憶手段）を備える。制御部１３は、チューナ１１により探し出された物理チャンネルの放送信号から、物理チャンネル毎に割り当てられ放送信号の送信国を示す国識別情報と、上述の探し出された物理チャンネルを示す物理チャンネル情報と、ＴＳデマルチプレクサ１２により取り出されたＴＳに対応する論理チャンネルを示す論理チャンネル情報を取得する。そして、制御部１３は、その国識別情報、物理チャンネル情報及び論理チャンネル情報を互いに対応付け、チャンネルサーチ中に随時、記憶部１４に格納する。制御部１３は、チャンネルサーチ後、互いに一致する国識別情報ごとに物理チャンネル情報とＴＳ情報を対応付けた国別チャンネルリストを記憶部１４を参照して作成し、国別チャンネルリストを記憶部１４に記憶させる（リスト作成手段）。
【００２３】
さらに、受信装置１は、ＴＳデマルチプレクサ１２によりＴＳの中から選択されるストリームのＴＳパケットに納められている映像、音声又はデータ信号（以下、映像信号等という）を復号化し、それをモニタ装置３に送出する復号化処理回路１５と、制御部１３を遠隔操作するための信号を無線送信するリモコン１６と、リモコン１６からの信号を受信して制御部１３に送出する無線受信部１７を備える。
【００２４】
ＴＳデマルチプレクサ１２は、ＴＳから、ＮＩＴ（Network Information Table）を格納したＴＳパケットを抽出する。このＮＩＴには、オリジナルネットワークＩＤと呼ばれる国識別情報と、物理チャンネル番号、論理チャンネル番号、及び論理チャンネル毎の放送局名等の情報が納められている。ところで、各ＴＳパケットには１３ビットの情報から成るＰＩＤ（パケット識別子）が付されており、ＮＩＴを含むＴＳパケットのＰＩＤは例えば０ｘ１０とされている。従って、ＴＳデマルチプレクサ１２は、ＰＩＤが０ｘ１０とされたＴＳパケットを探し、そのＴＳパケットの中からＮＩＴを抽出し、そのＮＩＴの中から物理チャンネル番号、オリジナルネットワークＩＤ、論理チャンネル番号の情報を取り出して、それらを物理チャンネル情報、国識別情報及び論理チャンネル情報として制御部１３に送出する。
【００２５】
また、ＴＳデマルチプレクサ１２は、ユーザによる任意のチャンネルの選択時には、ＴＳから、選択されたチャンネルすなわち論理チャンネルに対応するストリームを取り出し、そのストリームのＴＳパケットを抽出して復号化処理回路１５に出力する。ストリームの取り出しは、そのストリームに属することを示すためＴＳパケットに付されている特定のＰＩＤを基にして行う。
【００２６】
制御部１３は、ＣＰＵを含むマイクロプロセッサにより構成することができ、リモコン１６からの信号に基づき、国別チャンネルリストの生成、及びその国別チャンネルリストに応じたチャンネル選局を行う。国別チャンネルリスト生成処理には、チューナ１１を用いた物理チャンネルサーチと、ＴＳデマルチプレクサ１２を用いた物理チャンネル情報、論理チャンネル情報及びオリジナルネットワークＩＤの取得が含まれる。チャンネル選局処理には、チューナ１１を用いた物理チャンネルの選局制御、さらにＴＳデマルチプレクサ１２を用いた論理チャンネルの選局制御が含まれる。
【００２７】
記憶部１４は、ＲＯＭ、ＲＡＭ又はフラッシュメモリ等の記憶媒体により構成することができる。この記憶媒体には、図２に示されるように、国と国識別情報すなわちオリジナルネットワークＩＤが対応付けされた国識別情報リストＬ１が予め格納されている。国識別情報リストＬ１は、上述の国別チャンネルリストが国識別情報ごとに作成された後、ユーザにより国が設定されたときに、その国の国別チャンネルリストを選択するために用いられる。
【００２８】
リモコン１６は、制御部１３にチャンネルサーチを指示するためのサーチ指示キー１６ａと、ユーザがデジタルテレビ放送の視聴を望む国を設定するための国設定キー１６ｂ（設定手段）と、チャンネルキー１６ｃと、チャンネルを昇順又は降順に選局するためのチャンネルアップ・ダウンキー１６ｄ、１６ｅを有する。
【００２９】
図３は、制御部１３における国別チャンネルリスト作成処理の流れを示す。まず、ユーザによりサーチ指示キー１６ａが操作されると、その操作に基づく信号がリモコン１６から送信され、制御部１３は、その信号を無線受信部１７を介して受信し、それをトリガとしてチューナ１１を用いて物理チャンネルサーチを開始する（Ｓ１０１）。
【００３０】
制御部１３は、物理チャンネルの検出毎に、その物理チャンネルの放送信号のＴＳから、ＮＩＴを含むＴＳパケットを取り出し、ＮＩＴから物理チャンネル情報、オリジナルネットワークＩＤすなわち国識別情報及び論理チャンネル情報を取得し（Ｓ１０２〜１０４）、それらを対応付けて記憶部１４に格納する。Ｓ１０１〜１０４までの処理は、チューナ１１が受信可能な周波数帯域の全域に亘って実行される（Ｓ１０５でＮｏ）。
【００３１】
全域に亘るチャンネルサーチが完了したときには（Ｓ１０５でＹｅｓ）、図４に示されるように、物理チャンネル番号と、国別に付されているオリジナルネットワークＩＤと、論理チャンネル番号が対応付けられたチャンネルリストＬ２が記憶部１４に格納されている。同図では、一例として、受信装置１がフランス及びイタリアからの放送信号を受信可能な位置に在る場合のチャンネルリストＬ２が図示されている。なお、チャンネルリストＬ２には、図示されるように、放送局名が含められていることが望ましい。放送局名の情報は、上述の通りＮＩＴから取得可能である。
【００３２】
チャンネルサーチ完了後、チャンネルリストＬ２を基に、図５に示される国別チャンネルリストＬ３が作成される（Ｓ１０６）。国別チャンネルリストＬ３は、オリジナルネットワークＩＤ毎に、そのオリジナルネットワークＩＤと対応付けされた論理チャンネル番号をリスト化して成る。同図では、一例として、フランス及びイタリアの各々の国別チャンネルリストＬ３１、３２を図示する。図示の通り、国別チャンネルリストＬ３には、さらに放送局名が論理チャンネル番号と対応付けされて含められていることが望ましい。
【００３３】
国別チャンネルリストＬ３の作成後に、ユーザによりリモコン１６の国設定キー１６ｂが操作されて国が選択されると、制御部１３は、その選択された国のオリジナルネットワークＩＤを国識別情報リストＬ１を参照して取得し、そのオリジナルネットワークＩＤの国別チャンネルリストＬ３を選択する。ユーザによるチャンネル選局時には、この国別チャンネルリストＬ３が参照され、その国別チャンネルリストＬ３内の論理チャンネルがチャンネルキー１６ｃ又はチャンネルアップ・ダウンキー１６ｄ、１６ｅの操作に基づいて選局され、その選局された論理チャンネルの映像信号等がモニタ装置３へ出力される。
【００３４】
本実施形態においては、チューナ１１により、ＤＶＢ−Ｔ規格に準拠した放送信号が受信されてその物理チャンネルが探し出され、ＴＳデマルチプレクサ１２により、上記の探し出された物理チャンネルの放送信号に論理チャンネルとして重畳されているトランスポートストリームが取得される。そして、上記の規格において論理チャンネルは放送局の放送チャンネルに対応している。従って、上記の規格に準拠した放送信号の放送チャンネル選局が可能となる。
【００３５】
また、制御部１３がＴＳデマルチプレクサ１２を用いて放送信号から国識別情報を取得し、国識別情報ごとに物理チャンネル情報と論理チャンネル情報すなわち放送チャンネル情報を対応付けた国別チャンネルリストＬ３を作成する。そのため、この国別チャンネルリストを選択することで、複数国からの該放送信号を受信可能な地域においても、ユーザが視聴を望む国の放送チャンネルだけが、上記選択された国別チャンネルリストＬ３を基に選局可能となる。そのため、視聴を望まない国の放送チャンネルを選局することができくなり、視聴時の煩わしさを解消することができる。
【００３６】
（第２の実施形態）
本発明の第２の実施形態に係る受信装置の主要部材は、第１の実施形態と同一の構成を有するため、本実施形態の受信装置の要部構成については図１を流用して説明する。本実施形態の受信装置１の制御部１３は、第１の実施形態に係る国別チャンネルリストＬ３を作成せず、チャンネルアップ／ダウンキー１６ｄ、１６ｅの操作に基づく論理チャンネルの昇順又は降順の選局時に、上述のチャンネルリストＬ２を参照し、ユーザにより設定された国の論理チャンネルを選局し、設定された国とは異なる国の論理チャンネルをスキップする（選局手段）。
【００３７】
図６は、本実施形態の制御部１３による論理チャンネル選局処理のフローを示す。まず、制御部１３は、ユーザによる国設定キー１６ｂの操作に基づいてリモコン１６から送信された信号を受信することで、ユーザによる、テレビの視聴を望む国の設定を検出する（Ｓ２０１）。続くＳ２０２〜２０５までの処理は、上述の図２に示されるＳ１０１〜１０４までの処理と同じであるため、その説明は省略する。
【００３８】
制御部１３は、ユーザによるチャンネルアップ／ダウンキー１６ｄ、１６ｅの操作に応じたリモコン１６からの信号を基に、チャンネルアップ／ダウンキー１６ｄ、１６ｅの操作を検出する。制御部１３は、上記の信号を受信しない間（Ｓ２０６でＮｏ）、待機状態となり、チャンネルアップ／ダウンキー１６ｄ、１６ｅの操作を検出したとき（Ｓ２０６でＹｅｓ）には、Ｓ２０１でユーザにより設定された国と、次に選局する予定の論理チャンネルの国が一致するがどうかを判断する。具体的には、まず、国設定キー１６ｂの操作に基づいて設定された国の国識別情報が、国識別情報リストＬ１が参照されて取得される。そして、取得された国識別情報と、次に選局する予定の論理チャンネルの国識別情報が一致するかどうかが判断される。それらが一致する場合（Ｓ２０７でＹｅｓ）、制御部１３は、次選局予定のチャンネルを選局し（Ｓ２０８）、映像信号等をモニタ装置３に出力する（Ｓ２０９）。そして、それらが一致しない場合（Ｓ２０７でＮｏ）、次選局予定のチャンネルをスキップする（Ｓ２１０）。
【００３９】
上記処理においては、例えば、図７に示されるチャンネルリストＬ２が記憶部１４に格納されており、ユーザにより、テレビの視聴を望む国としてフランスが設定された場合、チャンネルアップ／ダウンキー１６ｄ、１６ｅを用いたチャンネル選局時には、斜字で示される第１、第２及び第１４論理チャンネルが選局可能となる。その結果、図８に示されるように、第２チャンネルが選局されている状態で、チャンネルアップキー１６ｄが操作されたとき、第３論理チャンネルはスキップされてその映像等はモニタ装置３に表示されず、第４論理チャンネルの映像等がモニタ装置３に表示される。なお、上述の図７は、説明のため、上述の図２の内容を論理チャンネル番号の昇降順に並び替えたものである。
【００４０】
本実施形態においては、上記第１の実施形態と同様に、ＤＶＢ−Ｔ規格に準拠した放送信号の放送チャンネル選局を可能とする効果を得ることができる。また、チャンネルアップ・ダウンキー１６ｄ、１６ｅの操作に基づく論理チャンネル選局時に、国設定キー１６ｂにより設定された国の論理チャンネルは選局され、その国以外の国の論理チャンネルはスキップされるので、複数国からの該放送信号を受信可能な地域においても、ユーザが視聴を望む国のチャンネルだけを選局することができる。そのため、視聴を望まない国の放送チャンネルを選局することができくなり、視聴時の煩わしさを解消することができる。
【００４１】
なお、本発明は、上記第１及び第２の実施形態の構成に限定されるものでなく、使用目的に応じ、様々な変形が可能である。
【図面の簡単な説明】
【００４２】
【図１】本発明の第１の実施形態に係るデジタルテレビ放送信号受信装置の構成図。
【図２】上記装置の記憶部に予め格納されている国識別情報リストを示す図。
【図３】上記装置の制御部における国別チャンネルリスト作成処理のフローチャート。
【図４】上記装置の記憶部に格納されるチャンネルリストを示す図。
【図５】（ａ）は上記装置の制御部により作成される国別チャンネルリストの一例を示す図、（ｂ）は上記とは別の国別チャンネルリストの例を示す図。
【図６】本発明の第２の実施形態に係るデジタルテレビ放送信号受信装置の制御部におけるチャンネル選局処理のフローチャート。
【図７】上記チャンネル選局処理において選局される論理チャンネルの順を説明するための図。
【図８】上記チャンネル選局処理による作用を説明するための図。
【符号の説明】
【００４３】
１  デジタルテレビ放送信号受信装置
１１  チューナ（チャンネルサーチ手段）
１２  ＴＳマルチプレクサ（ストリーム取得手段）
１３  制御部（情報取得手段、リスト作成手段、選局手段）
１４  記憶部（記憶手段）
１６  リモコン
１６ｂ  国設定キー（設定手段）
１６ｄ  チャンネルアップキー
１６ｅ  チャンネルダウンキー
【図１】
2009152775.tif 000003
【図２】
2009152775.tif 000004
【図３】
2009152775.tif 000005
【図４】
2009152775.tif 000006
【図５】
2009152775.tif 000007
【図６】
2009152775.tif 000008
【図７】
2009152775.tif 000009
【図８】
2009152775.tif 000010